(57)【特許請求の範囲】
【請求項１】
少なくともオープンショーケース及び、昼間に比べ夜間に又は夏期に比べ冬期にドア開閉が少なくなる冷却庫に冷媒を供給する冷凍機を制御する冷凍機の制御装置であって、
前記冷凍機から前記オープンショーケース及び前記冷却庫に前記冷媒を供給するための冷媒流路の途中に設けられ、前記冷凍機から前記冷媒流路を介する前記オープンショーケースへの前記冷媒の供給及び前記冷凍機から前記冷媒流路を介する前記冷却庫への前記冷媒の供給を制御する複数の開閉弁と、
前記オープンショーケース及び前記冷却庫の周囲環境が夜間又は冬期であるか否かを判断し、前記周囲環境が夜間又は冬期であると判断した場合のみ、前記オープンショーケースの除霜時間以外の時間帯に、前記冷却庫に対する前記冷媒の供給を一定期間停止し、前記オープンショーケースに対する前記冷媒の供給を行うように前記複数の開閉弁を制御する制御部と、
を備えることを特徴とする冷凍機の制御装置。
【請求項２】
前記制御部は、前記オープンショーケースのプルダウンの間に、前記冷却庫に対する前記冷媒の供給を停止し、前記オープンショーケースに対する前記冷媒の供給を行うように前記複数の開閉弁を制御することを特徴とする請求項１記載の冷凍機の制御装置。
【請求項３】
前記制御部は、前記冷却庫の庫内温度を一定期間下げてから、前記冷却庫に対する前記冷媒の供給を一定期間停止するように前記複数の開閉弁を制御することを特徴とする請求項１又は２記載の冷凍機の制御装置。
【請求項４】
前記冷却庫が備える蒸発器の着霜量を検出する検出センサをさらに備え、
前記制御部は、前記周囲環境が夜間又は冬期であると判断した場合、前記検出センサにより検出した前記着霜量に応じて、前記冷却庫の除霜運転を禁止することを特徴とする請求項１、２又は３記載の冷凍機の制御装置。
【請求項５】
少なくともオープンショーケース及び、昼間に比べ夜間に又は夏期に比べ冬期にドア開閉が少なくなる冷却庫に冷媒を供給する冷凍機を制御する冷凍機の制御方法であって、
前記オープンショーケース及び前記冷却庫の周囲環境が夜間又は冬期であるか否かを判断し、前記周囲環境が夜間又は冬期であると判断した場合のみ、前記オープンショーケースの除霜時間以外の時間帯に、前記冷却庫に対する前記冷媒の供給を一定期間停止し、前記オープンショーケースに対する前記冷媒の供給を行うことを特徴とする冷凍機の制御方法。
【請求項６】
前記オープンショーケースのプルダウンの間に、前記冷却庫に対する前記冷媒の供給を停止し、前記オープンショーケースに対する前記冷媒の供給を行うことを特徴とする請求項５記載の冷凍機の制御方法。
【請求項７】
前記冷却庫の庫内温度を一定期間下げてから、前記冷却庫に対する前記冷媒の供給を一定期間停止することを特徴とする請求項５又は６記載の冷凍機の制御方法。
【請求項８】
前記冷却庫が備える蒸発器の着霜量を検出し、
前記周囲環境が夜間又は冬期であると判断した場合、検出した前記着霜量に応じて、前記冷却庫の除霜運転を禁止することを特徴とする請求項５、６又は７記載の冷凍機の制御方法。
【発明の詳細な説明】
【技術分野】
【０００１】
本発明は、冷凍機の制御装置及び冷凍機の制御方法に関し、例えば、ショーケース及び冷却庫を一台で冷やす冷凍機の制御装置及び冷凍機の制御方法に関する。
【背景技術】
【０００２】
スーパーマーケットやコンビニエンスストアなどの各種店舗においては、冷蔵食品や冷凍食品、生鮮食品などの商品陳列用のショーケースが設置されており、さらに、商品陳列や商品保管用の冷蔵庫や冷凍庫などの冷却庫も設置されている。使用温度帯の近いショーケース及び冷却庫は一台の冷凍機により冷却される場合があり、その一台の冷凍機から冷媒がショーケース及び冷却庫に供給される。
【０００３】
通常、ショーケースや冷却庫には、蒸発器が設けられている。この蒸発器には霜が着くため、蒸発器への着霜が多い使用温度帯の近いショーケースでは、除霜ヒータにより除霜（デフロスト）を行う必要がある。この除霜を行わないと、蒸発器の熱交換器としての機能が著しく低下し、要求される冷却性能を維持することができなくなってしまう。そこで、一般的には、毎日、一日数回、同時刻に除霜が行われている（例えば、特許文献１又は特許文献２参照）。
【先行技術文献】
【特許文献】
【０００４】
【特許文献１】特開平９−１２６６０３号公報
【特許文献２】特開平９−２８７８６８号公報
【発明の概要】
【発明が解決しようとする課題】
【０００５】
前述の冷凍機は、一年中、昼夜ともに所定の設定温度に基づいて冷却庫を冷却する。ところが、夜間や冬期には、冷却庫のドア開閉は少なくなり、その庫内は外気の影響を受けなくなるため、庫内の商品温度はほとんど変動しない。このため、夜間や冬期には、冷却庫の庫内温度を昼間や夏期ほどきめ細かく制御する必要がなくなるが、実際には昼間や夏期と同じ制御を行っており、夜間や冬期に必要以上に庫内の商品を冷却している。
【０００６】
また、夜間や冬期であっても、前述の冷凍機は、除霜後、冷却対象である商品の品質低下を防止するため、できるだけ早くショーケースの庫内温度を所定の設定温度に戻す必要がある。このとき、冷凍機はフル稼働で冷却運転を行うため、冷凍機の負荷が増え、冷凍機の消費電力が上昇してしまう。
【０００７】
本発明は上記を鑑みてなされたものであり、その目的は、冷凍機の消費電力を抑えることができる冷凍機の制御装置及び冷凍機の制御方法を提供することである。
【課題を解決するための手段】
【０００８】
本発明に係る第１の特徴は、冷凍機の制御装置において、少なくともショーケース及び冷却庫に冷媒を供給する冷凍機を制御する冷凍機の制御装置であって、冷凍機からショーケース及び冷却庫に冷媒を供給するための冷媒流路の途中に設けられ、冷凍機から冷媒流路を介するショーケースへの冷媒の供給及び冷凍機から冷媒流路を介する冷却庫への冷媒の供給を制御する複数の開閉弁と、ショーケース及び冷却庫の周囲環境が夜間又は冬期であるか否かを判断し、周囲環境が夜間又は冬期であると判断した場合、ショーケースの除霜時間以外の時間帯に、冷却庫に対する冷媒の供給を一定期間停止し、ショーケースに対する冷媒の供給を行うように複数の開閉弁を制御する制御部とを備えることである。
【０００９】
本発明に係る第２の特徴は、前述の第１の特徴に係る冷凍機の制御装置において、制御部は、ショーケースのプルダウンの間に、冷却庫に対する冷媒の供給を停止し、ショーケースに対する冷媒の供給を行うように複数の開閉弁を制御することである。
【００１０】
本発明に係る第３の特徴は、前述の第１又は２の特徴に係る冷凍機の制御装置において、制御部は、冷却庫に対する冷媒の供給を一定期間停止する直前に、冷却庫の庫内温度を一定期間下げるように複数の開閉弁を制御することである。
【００１１】
本発明に係る第４の特徴は、前述の第１、２又は３の特徴に係る冷凍機の制御装置において、制御部は、周囲環境が夜間又は冬期であると判断した場合、冷却庫が備える蒸発器の着霜量に応じて、冷却庫の除霜運転を禁止することである。
【００１２】
本発明に係る第５の特徴は、冷凍機の制御方法において、少なくともショーケース及び冷却庫に冷媒を供給する冷凍機を制御する冷凍機の制御方法であって、ショーケース及び冷却庫の周囲環境が夜間又は冬期であるか否かを判断し、周囲環境が夜間又は冬期であると判断した場合、ショーケースの除霜時間以外の時間帯に、冷却庫に対する冷媒の供給を一定期間停止し、ショーケースに対する冷媒の供給を行うことである。
【００１３】
本発明に係る第６の特徴は、前述の第５の特徴に係る冷凍機の制御方法において、ショーケースのプルダウンの間に、冷却庫に対する冷媒の供給を停止し、ショーケースに対する冷媒の供給を行うことである。
【００１４】
本発明に係る第７の特徴は、前述の第５又は６の特徴に係る冷凍機の制御方法において、冷却庫に対する冷媒の供給を一定期間停止する直前に、冷却庫の庫内温度を一定期間下げることである。
【００１５】
本発明に係る第８の特徴は、前述の第５、６又は７の特徴に係る冷凍機の制御方法において、周囲環境が夜間又は冬期であると判断した場合、冷却庫が備える蒸発器の着霜量に応じて、冷却庫の除霜運転を禁止することである。
【発明の効果】
【００１６】
本発明に係る第１又は第５の特徴によれば、周囲環境が夜間又は冬期であるとき、ショーケースの除霜時間以外の時間帯で、冷却庫に対する冷媒の供給が一定期間強制的に停止され、ショーケースに対する冷媒の供給だけが行われる。これにより、冷媒の供給対象はショーケースのみとなり、冷凍機の負荷を低減することが可能になるので、冷凍機の消費電力を抑えることができる。
【００１７】
本発明に係る第２又は第６の特徴によれば、周囲環境が夜間又は冬期であるとき、ショーケースのプルダウンの間に、冷却庫に対する冷媒の供給が強制的に停止され、ショーケースに対する冷媒の供給だけが行われる。これにより、ショーケースのプルダウン中の冷凍機の負荷を低減することが可能になるので、冷凍機の消費電力を抑えることができ、また、消費電力を抑えつつショーケースに対する冷媒の供給量を増やすことも可能になるので、ショーケースのプルダウン時間を短縮することができる。さらに、このプルダウン時間の短縮により鮮度管理を向上させることができる。
【００１８】
本発明に係る第３又は第７の特徴によれば、冷却庫に対する冷媒の供給が一定期間停止される直前に、冷却庫の庫内温度が強制的に一定期間下げられる。これにより、冷却庫の冷媒供給停止期間にその庫内温度が所定の設定温度より高くなることを抑えることができ、さらに、冷却庫の冷媒供給停止期間後にその庫内温度を所定の設定温度に戻す際の冷凍機の負荷を低減することができる。
【００１９】
本発明に係る第４又は第８の特徴によれば、周囲環境が夜間又は冬期であるとき、蒸発器の着霜量に応じて、冷却庫の除霜運転が禁止される。これにより、冷却庫の除霜ヒータへの無駄な通電が不要となるため、より確実に省エネルギー化を実現することができる。
【図面の簡単な説明】
【００２０】
【図１】本発明の実施の一形態に係る冷却システムの概略構成を示すブロック図である。
【図２】図１に示す冷却システムにおける除霜運転のタイミングを示すタイミングチャートである。
【図３】図１に示す冷却システムにおける冷却運転処理の流れを示すフローチャートである。
【図４】図３に示す冷却運転処理の一部の強制省エネ運転処理の流れを示すフローチャートである。
【発明を実施するための形態】
【００２１】
本発明の実施の一形態について図面を参照して説明する。
【００２２】
図１に示すように、本発明の実施形態に係る冷却システム１は、ショーケース２と、複数台の冷却庫３、４と、それらに共通の冷凍機５と、その冷凍機５からショーケース２及び各冷却庫３、４に冷媒を供給するための冷媒流路６と、各部を制御する制御装置７とを備えている。なお、ショーケース２及び各冷却庫３、４としては、使用温度帯の近いショーケース及び冷却庫が用いられる。
【００２３】
ショーケース２は、蒸発器や膨張弁、除霜ヒータ（いずれも図示せず）などに加え、ショーケース２の庫内温度を測定する温度センサ２ａを備えている。このショーケース２は、冷蔵食品や冷凍食品、生鮮食品などの陳列商品を冷却あるいは冷凍する。なお、ショーケース２としては、例えば、オープンショーケースなどが用いられる。
【００２４】
各冷却庫３、４は、蒸発器や膨張弁、除霜ヒータ（いずれも図示せず）などに加え、冷却庫３、４の庫内温度を測定する温度センサ３ａ、４ａを個別に備えている。これらの冷却庫３、４は、冷蔵食品や冷凍食品、生鮮食品などの保管商品を冷却あるいは冷凍する。なお、冷却庫３、４としては、例えば、冷蔵庫や冷凍庫、プレハブ冷蔵庫、プレハブ冷凍庫などが用いられる。
【００２５】
冷凍機５は、圧縮機や凝縮器（いずれも図示せず）などを備えており、ショーケース２及び各冷却庫３、４に冷媒を供給する。この冷凍機５は、ショーケース２及び各冷却庫３、４の各々の系統に共通に用いられている。これらの系統を通過した冷媒は他の冷媒流路（図示せず）を介して冷凍機５に戻って循環する。この循環中に冷媒は圧縮、凝縮、膨張及び蒸発の四工程を繰り返すことになる。
【００２６】
冷媒流路６は、ショーケース２及び各冷却庫３、４と、冷凍機５とを接続する流路であり、冷凍機５に対してショーケース２及び各冷却庫３、４が並列に接続されるように配設されている。この冷媒流路６としては、例えば、各部を接続するために銅管が用いられる。
【００２７】
この冷媒流路６の途中には、各開閉弁６ａ、６ｂ、６ｃが設けられている。開閉弁６ａは冷凍機５とショーケース２との間に設けられており、ショーケース２に対する冷媒の流入を制御する。開閉弁６ｂは冷凍機５と冷却庫３との間に設けられており、冷却庫３に対する冷媒の流入を制御する。同様に、開閉弁６ｃも冷凍機５と冷却庫４との間に設けられており、冷却庫４に対する冷媒の流入を制御する。
【００２８】
各開閉弁６ａ、６ｂ、６ｃは制御装置７に電気的に接続されており、その駆動が制御装置７により制御される。開閉弁６ａが制御装置７により開状態にされると、冷媒が冷凍機５からショーケース２に流れる。同様に、開閉弁６ｂが制御装置７により開状態にされると、冷媒が冷凍機５から冷却庫３に流れ、開閉弁６ｃが制御装置７により開状態にされると、冷媒が冷凍機５から冷却庫４に流れる。各開閉弁６ａ、６ｂ、６ｃとしては、例えば、電磁弁などが用いられる。
【００２９】
制御装置７は、各部を集中的に制御するマイクロコンピュータなどの制御部７ａと、各種情報や各種プログラム等を記憶する記憶部７ｂと、操作者からの操作（情報入力のための入力操作など）を受け付ける操作部７ｃとを備えている。記憶部７ｂとしては、メモリやハードディスクドライブ（ＨＤＤ）などが用いられる。この制御装置７は、冷凍機５に加え、各開閉弁６ａ、６ｃ、６ｃやショーケース２の除霜ヒータ、各冷却庫３、４の除霜ヒータなどの駆動も制御する。制御装置７には、各温度センサ２ａ、３ａ、４ａが電気的に接続されており、それらの温度センサ２ａ、３ａ、４ａにより測定された各温度が入力される。
【００３０】
ここで、制御装置７はショーケース２及び各冷却庫３、４の温調運転を個別に庫内温度に応じて行う（個別温調運転）。すなわち、制御装置７は、制御部７ａを用い、ショーケース２の温度センサ２ａにより測定されたショーケース２の庫内温度に応じて、その庫内温度が所定の設定温度になるようにショーケース２の開閉弁６ａを制御する。また、制御装置７は、冷却庫３の温度センサ３ａにより測定された冷却庫３の庫内温度に応じて、その庫内温度が所定の設定温度になるように冷却庫３の開閉弁６ｂを制御する。この運転制御は冷却庫４でも同様である。このように温調運転はショーケース２及び各冷却庫３、４の間で個別に実行される。
【００３１】
また、制御装置７はショーケース２及び各冷却庫３、４の除霜運転をスケジュールに基づいて行う。図２に示すように、除霜運転（霜取り運転）は、毎日、ショーケース２及び冷却庫３、４毎に一日数回、同時刻に実行される。例えば、ショーケース２の除霜運転は、一日４回、９：００、１５：００、２１：００及び３：００の６時間毎に実行される。また、各冷却庫３、４の除霜運転も、一日４回、ショーケース２の除霜運転の開始時刻から３時間遅れの１２：００、１８：００、００：００及び６：００の６時間毎に実行される。なお、冷却庫３と冷却庫４との除霜運転は同じ時刻以外にも異なる時刻に実行されるようにしても良い。
【００３２】
除霜運転は、ショーケース２及び冷却庫３、４の各々の蒸発器（図示せず）に付着した霜を除霜ヒータにより溶かす除霜（デフロスト）を行う運転である。このとき、除霜運転を行う装置に対応する開閉弁６ａ、６ｂ、６ｃは閉じられ、その装置に対する冷媒の供給は停止される。この除霜にかかる除霜時間は、例えば、数十分から数時間までの範囲内で記憶部７ｂに設定されている。
【００３３】
なお、除霜運転後には、必ず復帰運転であるプルダウンが実行される。このプルダウンとは、除霜により低下した庫内温度を所定の設定温度に復帰させることであり、プルダウン時間はその庫内温度が所定の設定温度に到達するまでの時間である。プルダウンでは、プルダウン時間を短縮するため、ひいては冷却対象である商品の品質低下を防止するため、通常、冷凍機５がフル稼働の冷却運転を行う。
【００３４】
次に、前述の冷却システム１における冷却運転処理について説明する。なお、冷却システム１の制御装置７が制御部７ａを用いて各種プログラム及び各種情報に基づき冷却運転処理（強制省エネ運転処理を含む）を実行する。
【００３５】
図３に示すように、制御装置７は、まず、ショーケース２及び各冷却庫３、４を冷却する冷却運転を行い（ステップＳ１）、次いで、周囲環境が夜間や冬期などの冷凍機５にとって低負荷時であるか否かを判断する（ステップＳ２）。
【００３６】
ここで、制御装置７は、制御部７ａを用いて、タイマーにより時刻が夜間（例えば、００：００〜６：００）であるか否かを判定したり、あるいは、カレンダー機能により季節が冬期（例えば、１２月〜３月）であるか否かを判定したりすることによって、周囲環境が低負荷時、すなわち夜間又は冬期であるか否かを判断する。なお、夜間や冬期などの情報は記憶部７ｂに予め設定されている。また、この情報は操作部７ｃに対する入力操作により変更可能である。
【００３７】
ステップＳ２において、周囲環境が低負荷時であると判断した場合には（ステップＳ２のＹＥＳ）、ショーケース２及び各冷却庫３、４を強制的に連係させて省エネ運転する強制省エネ運転を行い（ステップＳ３）、周囲環境が低負荷時でないと判断した場合には（ステップＳ２のＮＯ）、ショーケース２及び各冷却庫３、４を個別に温調運転する前述の個別温調運転を行う（ステップＳ４）。
【００３８】
次いで、前述のステップＳ３の強制省エネ運転について説明する。
【００３９】
図４に示すように、制御装置７は、まず、ショーケース２の庫内温度が所定の設定温度以上であるか否かを判断し（ステップＳ１１）、ショーケース２の庫内温度が所定の設定温度以上であると判断した場合（ステップＳ１１のＹＥＳ）、ショーケース２の開閉弁６ａを開く（ステップＳ１２）。一方、ショーケース２の庫内温度が所定の設定温度以上でないと判断した場合には（ステップＳ１１のＮＯ）、ショーケース２の開閉弁６ａを閉じる（ステップＳ１３）。このようにしてショーケース２の庫内温度は所定の設定温度以下に維持される。なお、所定の設定温度は記憶部７ｂに予め設定されている。
【００４０】
また、制御装置７は、前述のステップＳ１１の処理と並行して、冷却庫３の庫内温度が所定の設定温度以上であるか否かを判断し（ステップＳ１４）、冷却庫３の庫内温度が所定の設定温度以上であると判断した場合（ステップＳ１４のＹＥＳ）、冷却庫３の開閉弁６ｂを開く（ステップＳ１５）。一方、冷却庫３の庫内温度が所定の設定温度以上でないと判断した場合には（ステップＳ１４のＮＯ）、冷却庫３の開閉弁６ｂを閉じる（ステップＳ１６）。このようにして冷却庫３の庫内温度は所定の設定温度以下に維持される。このとき、冷却庫４に対しても同様な処理が行われる。なお、所定の設定温度は記憶部７ｂに予め設定されている。
【００４１】
その後、制御装置７は、現在時刻がショーケース２の除霜運転時間（除霜運転の開始時刻）であるか否かを判断し（ステップＳ１７）、現在時刻がショーケース２の除霜運転時間でないと判断した場合（ステップＳ１７のＮＯ）、処理を前述のステップＳ１に戻す。一方、現在時刻がショーケース２の除霜運転時間であると判断した場合には（ステップＳ１７のＹＥＳ）、除霜運転のため、ショーケース２の開閉弁６ａを閉じる（ステップＳ１８）。なお、開閉弁６ａが前述のステップＳ１３で閉状態であれば、そのまま閉状態を維持する。ショーケース２の除霜運転時間は記憶部７ｂにタイミングチャート（図２参照）として予め設定されている。
【００４２】
また、制御装置７は、前述のステップＳ１８の処理と並行して、冷却庫３の開閉弁６ｂを強制的に所定の一定時間開く（ステップＳ１９）。なお、開閉弁６ｂが前述のステップＳ１５で開状態であれば、そのまま開状態を維持する。一定時間は、例えば、数十分程度とショーケース２の除霜時間（数十分から数時間）と同じかそれより短い時間である。このように開閉弁６ｂが一定時間開状態となることで、冷却庫３の庫内温度は所定の設定温度より低い温度まで下がることになる。このとき、冷却庫４に対しても同様な処理が行われる。なお、所定の一定時間は記憶部７ｂに予め設定されている。
【００４３】
次に、制御装置７は、ショーケース２の除霜運転が終了したか否かを判断し（ステップＳ２０）、ショーケース２の除霜運転の終了に待機する（ステップＳ２０のＮＯ）。ショーケース２の除霜運転が終了したと判断すると（ステップＳ２０のＹＥＳ）、除霜運転からの復帰（プルダウン）のため、ショーケース２の開閉弁６ａを開き（ステップＳ２１）、強制的に冷却庫３の開閉弁６ｂを閉じる（ステップＳ２２）。このとき、冷却庫４に対しても同様な処理が行われる。
【００４４】
その後、制御装置７は、ショーケース２の庫内温度が所定の設定温度以下であるか否かを判断し（ステップＳ２３）、ショーケース２の庫内温度が所定の設定温度以下になることに待機する（ステップＳ２３のＮＯ）。ショーケース２の庫内温度が所定の設定温度以下になったと判断すると（ステップＳ２３のＹＥＳ）、処理をステップＳ１（図３参照）に戻す。
【００４５】
このような冷却運転処理では、周囲環境が夜間又は冬期である場合に、ショーケース２のプルダウンの間、各冷却庫３、４の各々の開閉弁６ｂ、６ｃが閉じられる。これにより、プルダウンの間、各冷却庫３、４に対する冷媒の供給が強制的に停止され、ショーケース２に対する冷媒の供給だけが行われることになる。したがって、冷媒の供給対象はショーケース２のみとなり、冷凍機５の負荷が低減されるので、冷凍機５の消費電力を抑えることができる。なお、開閉弁６ｂ及び開閉弁６ｃの両方ではなく、どちらか一方だけが閉じられた場合でも、冷凍機５の負荷は低減されるので、冷凍機５の消費電力を抑えることができる。
【００４６】
また、ショーケース２のプルダウンに応じて各冷却庫３、４の各々の開閉弁６ｂ、６ｃが閉状態となる前、すなわちショーケース２のプルダウンの直前（例えば、プルダウンの数十分前）に、一定時間（例えば、数十分）、各冷却庫３、４の各々の開閉弁６ｂ、６ｃは開状態にされ、各冷却庫３、４は強制的に冷却される。これにより、各冷却庫３、４の庫内温度は所定の設定温度より低い温度まで下がることになる。このため、各冷却庫３、４の冷媒供給停止期間にそれらの庫内温度が所定の設定温度より高くなることを抑えることができる。さらに、各冷却庫３、４の冷媒供給停止期間後にそれらの庫内温度を所定の設定温度に戻す際の冷凍機５の負荷を低減することができる。
【００４７】
以上説明したように、本発明の実施形態によれば、ショーケース２及び各冷却庫３、４の周囲環境が夜間又は冬期であるか否かが判断され、その周囲環境が夜間又は冬期であると判断された場合には、ショーケース２の除霜時間以外の時間帯に、各冷却庫３、４に対する冷媒の供給を一定期間停止し、ショーケース２に対する冷媒の供給を行うように各開閉弁６ａ、６ｂ、６ｃが制御される。これにより、周囲環境が夜間又は冬期であるとき、ショーケース２の除霜時間以外の時間帯で、各冷却庫３、４に対する冷媒の供給が一定期間強制的に停止され、ショーケース２に対する冷媒の供給だけが行われることになる。その結果、冷媒の供給対象はショーケース２のみとなり、冷凍機５の負荷を低減することが可能になるので、冷凍機５の消費電力を抑えることができる。
【００４８】
特に、周囲環境が夜間又は冬期であるとき、ショーケース２のプルダウンの間に、各冷却庫３、４に対する冷媒の供給を停止し、ショーケース２に対する冷媒の供給を行うように各開閉弁６ａ、６ｂ、６ｃが制御される。これにより、周囲環境が夜間又は冬期であるとき、ショーケース２のプルダウンの間に、各冷却庫３、４に対する冷媒の供給が強制的に停止され、ショーケース２に対する冷媒の供給だけが行われる。したがって、ショーケース２のプルダウン中の冷凍機５の負荷を低減することが可能となるので、冷凍機５の消費電力を抑えることができ、また、消費電力を抑えつつショーケース２に対する冷媒の供給量を増やすことも可能になるので、ショーケース２のプルダウン時間を短縮することができる。加えて、このプルダウン時間の短縮により鮮度管理を向上させることができる。
【００４９】
さらに、各冷却庫３、４に対する冷媒の供給を一定期間停止する直前に、各冷却庫３、４の庫内温度を一定期間下げるように各開閉弁６ａ、６ｂ、６ｃが制御される。これにより、各冷却庫３、４に対する冷媒の供給が一定期間停止される直前に、各冷却庫３、４の庫内温度が強制的に一定期間下げられる。その結果、各冷却庫３、４の冷媒供給停止期間にそれらの庫内温度が所定の設定温度より高くなることを抑えることができ、さらに、各冷却庫３、４の冷媒供給停止期間後にそれらの庫内温度を所定の設定温度に戻す際の冷凍機５の負荷を低減することができる。
【００５０】
また、周囲環境が夜間又は冬期であると判断した場合には、各冷却庫３、４が備える蒸発器の着霜量に応じて、各冷却庫３、４の除霜運転が禁止されるようにしても良い。この場合には、周囲環境が夜間又は冬期であって蒸発器の着霜量が少ないとき、各冷却庫３、４の除霜運転が禁止されることから、各冷却庫３、４の除霜ヒータへの無駄な通電が不要となるので、より確実に省エネルギー化を実現することができる。蒸発器の着霜量は、例えば、着霜量を検出する検出センサや冷却運転時間（積算時間）などから求められる。
【００５１】
なお、本発明は、前述の実施形態に限るものではなく、その要旨を逸脱しない範囲において種々変更可能である。例えば、前述の実施形態に示される全構成要素から幾つかの構成要素を削除してもよい。さらに、異なる実施形態に亘る構成要素を適宜組み合わせてもよい。
【００５２】
前述の実施形態においては、制御装置７は、タイマーにより時刻が夜間であるか否かを判定したり、あるいは、カレンダー機能により季節が冬期であるか否かを判定したりすることによって、周囲環境が低負荷時であるか否かを判断しているが、これに限るものではなく、例えば、操作部７ｃが備えるボタンが押されたか否かを判断することによって、周囲環境が低負荷時であるか否かを判断するようにしても良い。この場合には、店員などの操作者が店舗内の温度などを温度計により確認し、その温度が所定値よりも低くなっていたとき、操作部７ｃのボタンを押下する。また、前述の実施形態において、一台の冷凍機５により冷却されるショーケース２あるいは冷却庫３、４の個数は限定されるものではない。
【符号の説明】
【００５３】
１    冷却システム
２    ショーケース
２ａ  温度センサ
３    冷却庫
３ａ  温度センサ
４    冷却庫
４ａ  温度センサ
５    冷凍機
６    冷媒流路
６ａ  開閉弁
６ｂ  開閉弁
６ｃ  開閉弁
７    制御装置
７ａ  制御部
７ｂ  記憶部
７ｃ  操作部
【図１】
0005709252.tif 000002
【図２】
0005709252.tif 000003
【図３】
0005709252.tif 000004
【図４】
0005709252.tif 000005